(57)【特許請求の範囲】
【請求項１】
組立式収納ケースを構成する支柱において、
該支柱の支柱本体の長さ方向に対する垂直断面を、コ字状あるいはＵ字状などの一方向に開口する形状とするとともに、当該支柱本体の端部に前記一方向に延在する面（Ｏ，Ｐ）を一体形成したことを特徴とする組立式収納ケースの支柱。
【発明の詳細な説明】
【０００１】
【産業上の利用分野】
本発明は、組立式収納ケースを構成する組立部材のひとつであって、一端側および他端側に結合される夫々の組立部材を支える組立式収納ケースの支柱に関する。
【０００２】
【従来の技術】
従来、衣類などを整理する収納ケースには、例えば、図５に示すような組立式整理ケース５０が案出されている（実開平２−８２９２９号公報参照）。該組立式整理ケース５０は、合成樹脂製であり、複数の部材により組み立てられるフレームと、組み立てられたフレーム内に収容される引き出し５１，・・・とにより構成されている。前記フレームを構成する部材は、複数の貫通穴５２，・・・を有した底板５３、棚板５４、天板５５と、各板５３，５４，５５を連結する複数の支柱５６，・・・と、前記天板５５の貫通穴５２，・・・に挿入される止部材５７，・・・と、底板５３に取り付けられる複数の保持具５８，・・・とからなる。
【０００３】
前記支柱５６は、前記貫通穴５２より大きな外形寸法の筒状であり、下端には前記貫通穴５２より小さな外形寸法の挿入部５６ａが形成されている。一方、前記止部材５７の下端には、前記支柱５６に内嵌する内嵌部５７ａが形成されており、また前記保持具５８には、支柱５６の挿入部５６ａが挿入される挿入口５８ａが設けられている。
【０００４】
フレームを組み立てる際には、先ず、底板５３の貫通穴５２，・・・に下段の支柱５６，・・・の挿入部５６ａ，・・・を貫通させ、保持具５８，・・・をこの挿入部５６ａに嵌合させて各支柱５６，・・・を底板５３に固定する。次に、この支柱５６，・・・上に棚板５４を乗せ、上段の支柱５６，・・・の挿入部５６ａを棚板５４の貫通穴５２，・・・に貫通させるとともに、下段の支柱５６，・・・に挿入させ、上段の支柱５６，・・・を固定する。そして、この上段の支柱５６，・・・上に天板５５を乗せ、前記止部材５７，・・・の内嵌部５７ａを天板５５の貫通穴５２，・・・に貫通させるとともに、内嵌部５７ａを上段の支柱５６，・・・に内嵌させて固定する。このように、組立式整理ケース５０が簡単に組み立てられるように構成されている。
【０００５】
【発明が解決しようとする課題】
しかしながら、このような組立式整理ケース５０のフレームを射出成形する際、板状の底板５３、棚板５４、天板５５を、１組の金型を面方向に対して垂直へ開いて成形することができるのに対し、筒状の支柱５６は、周壁を形成するための１組の金型に加えて、中空状に形成するために長さ方向へ抜く中子金型も必要となる。したがって、金型の製作コストが高くなるという問題があった。
【０００６】
本発明は、このような従来の課題に鑑みてなされたものであり、成形するために必要な金型を少なくし、金型の製作コストを押えることができる収納ケースの支柱に関する。
【０００７】
【課題を解決するための手段】
前記課題を解決するために本発明にあっては、組立式収納ケースを構成する支柱において、該支柱の支柱本体の長さ方向に対する垂直断面を、コ字状あるいはＵ字状などの一方向に開口する形状とするとともに、当該支柱本体の端部に前記一方向に延在する面（Ｏ，Ｐ）を一体形成した。
【０００８】
【作用】
前記構成において、支柱本体の形状は、長さ方向に対する垂直断面がコ字状あるいはＵ字状などのように一方向が開口する形状に形成されている。このため、支柱を成形する際には、開口する方向およびこれに対向する方向へ開く１組の金型により成形される。
【０００９】
【実施例】
以下、本発明の一実施例を図にしたがって説明する。図１は、本発明に係る構成を備えた合成樹脂製の組立式収納ケース１の要部を示す図である。この組立式収納ケース１は、複数枚の棚部材２を、その間の４隅に結合された上段支柱５及び下段支柱６を介して上下に複数連結するとともに、各段に引き出しを収納する構造となっている。
【００１０】
前記棚部材２は、前記引き出しが載置される長方形状の板材であり、左右の縁部には、前記引き出しが案内される上方に膨出した膨出部２ａ，２ａ（右縁部のみ図示）が形成されている。また、棚部材２の周縁には、下方へ折り返された補強リブ２ｂが全周縁に形成されている。前記膨出部２ａ，２ａの前後には、筒状部３が一体形成されることにより上下に貫通する長方形状に開口する取付穴４が設けられている。
【００１１】
一方、下段支柱６は、前記筒状部３と同一の外形寸法を有するとともに、長さ方向に対する垂直断面が一方向に開口する（図中の左側）コ字状の支柱本体７を有している。支柱本体７の上面Ｐは前記一方向に延在する面であり、この上面Ｐには、取付穴４に内嵌する下段側嵌合部８が一体形成されている。下段側嵌合部８もまた垂直断面が一方向に開口する（図中の左側）垂直断面コ字状であって、取付穴４の内壁４ａに密接する第１の壁９を有しており、その上縁には内側に向かって突出する係合爪１０が形成されている。
【００１２】
また、前記上段支柱５は、下段支柱６と同様に、前記筒状部３と同一の外形寸法を有するとともに、長さ方向に対する垂直断面が一方向に開口する（図中の左側）コ字状の支柱本体１１と、該支柱本体１１の下面Ｏ（この下面Ｏは前記一方向に延在する面である）に一体形成されるとともに取付穴４に内嵌する上段側嵌合部１２とを有している。上段側嵌合部１２は、支柱本体１１と同じ方向に開口する（図中の左側）垂直断面コ字状であり、その下面には、前記下段側嵌合部８に内嵌する第二嵌合部１３がさらに突設されている。第二嵌合部１３は、図２にも示すように、前述と同様に垂直断面がコ字状であって、前記下段側嵌合部８の第１の壁９に密接する第２の壁１４を有しており、その第２の壁１４には、前記係合爪１０が係合する係合穴１５が設けられている。
【００１３】
前記組立式収納ケース１を組み立てる際、図１および図３に示すように、棚部材２の取付穴４に、上方より上段支柱５の上段側嵌合部１２を挿入するとともに、取付穴４の下方より下段支柱６の下段側嵌合部８を挿入すると、第２の壁１４に形成された係合穴１５に、第１の壁９に形成された係合爪１０が係合し、互いが取付穴４にがたつき無く固定されるように構成されている。
【００１４】
なお、本実施例における組立式収納ケース１には、前述した棚部材２が最下段、つまり組立式収納ケース１の底板を構成する場合に、前述した上段支柱５を棚部材２に結合するために用いられる、図４に示すような脚キャップ２１が付属されている。すなわち、脚キャップ２１は、前記筒状部３の断面と同形状の底板２２を有しており、この底板２２には、前記下段支柱６が有するものと同様の下段側嵌合部８が一体形成されている。この脚キャップ２１を取付穴４の下方から嵌挿することにより、下段支柱６と同様にして、棚部材２と上段支柱５とをがたつき無く結合させることができるように構成されている。
【００１５】
また、前記脚キャップ２１には、前記底板２２の中央部に、これを貫通する取付孔２３を形成する筒状の取付凸部２４が突出されており、これにより、脚キャップ２１の底面には、取付部２４に嵌挿される嵌挿部３０を有するキャップ３１やキャスター３２が選択的に装着できるようになっている。
【００１６】
以上の構成からなる本実施例における各支柱５，６を成形する際には、各支柱５，６の形状は、長さ方向に対する垂直断面が、一方向に開口するコ字状であるため、開口する方向およびこれに対向する方向へ開く１組の金型により成形することができる。したがって、周壁を形成する１組の金型と中空状に形成するための中子金型とにより形成される従来の筒状の支柱と比較して、成形の際に使用する金型の数を削減することができる。これにより、支柱５，６を成形するための金型の製作費を押えることができ、尚且つ、支柱５，６を断面コ字状に形成したことにより所定の剛性を確保することもできる。
【００１７】
さらに、本実施例においては、棚部材２も、該棚部材２の面方向に対して垂直に開く１組の金型により成形することができるで、棚部材２と前記各支柱５，６とを同一の金型により同一工程で成形することができる。したがって、成形作業を効率的に行うことができるとともに、成形の際に準備する金型の数を押えることができる。
【００１８】
なお、本実施例においては、各支柱５，６における断面形状がコ字状のものを示したが、Ｕ字状、Ｖ字状、Ｌ字状さらには、半円弧状の一方向へ開口するものであっても良い。
【００１９】
【発明の効果】
以上説明したように、本発明にあっては、支柱を１組の金型によって成形することができるので、周壁を形成する１組の金型と中空状に形成するための中子金型とにより形成される従来の筒状の支柱と比較して、成形の際に使用する金型の数を削減することができる。これにより、支柱を成形するための金型の製作費を押えることができ、尚且つ、支柱の剛性を確保することもできる。
【図面の簡単な説明】
【図１】本発明の一実施例を示す組立式収納ケースの要部を示す分解斜視図である。
【図２】図１のＡ矢視図である。
【図３】同実施例の要部を示す断面図である。
【図４】同実施例の付属部材である脚キャップを示す斜視図である。
【図５】従来の組立式収納ケースを示す分解斜視図である。
【符号の説明】
１    組立式収納ケース
２    棚部材
４    取付穴
５    上段支柱（組立式収納ケースの支柱）
６    下段支柱（組立式収納ケースの他の支柱）
７    支柱本体（下段支柱の本体）
８    下段側嵌合部
１０    係合爪
１１    支柱本体（上段支柱の本体）
１２    上段側嵌合部
１３    第二嵌合部
１５    係合穴
【図１】
0003563785.tif 000002
【図２】
0003563785.tif 000003
【図３】
0003563785.tif 000004
【図４】
0003563785.tif 000005
【図５】
0003563785.tif 000006